(57)【特許請求の範囲】
【請求項１】
撮影したディジタル画像を入力する入力部と、
所定情報を検出する所定情報検出部と、
前記ディジタル画像に前記検出した所定情報を埋め込む所定情報埋込部と、
前記所定情報が埋め込まれた前記ディジタル画像に閲覧制限を付加する処理を行う閲覧制限付加部とを備えることを特徴とするディジタル画像撮影装置。
【請求項２】
前記検出した所定情報を基に閲覧制限を付加するか否かについて問い合わせ、その分析結果となる閲覧制限情報を取得する通信部を備え、
前記閲覧制限付加部は、前記通信部から取得する前記閲覧制限情報に従って閲覧制限を付加する処理を行うことを特徴とする請求項１に記載のディジタル画像撮影装置。
【請求項３】
前記所定情報は、撮影者の位置あるいは被写体の位置であることを特徴とする請求項１に記載のディジタル画像撮影装置。
【請求項４】
前記所定情報は、被写体の電子情報であることを特徴とする請求項１に記載のディジタル画像撮影装置。
【請求項５】
前記所定情報は、撮影時間情報を含むことを特徴とする請求項１に記載のディジタル画像撮影装置。
【請求項６】
閲覧制限を付加するか否かについて決定する閲覧制限決定テーブルを管理する閲覧制限制御部を備え、前記検出した所定情報を基に前記閲覧制限決定テーブルを用いて閲覧制限を付加するか否かについての分析結果となる閲覧制限情報を取得し、前記閲覧制限付加部は、前記閲覧制限情報に従って閲覧制限を付加する処理を行うことを特徴とする請求項１に記載のディジタル画像撮影装置。
【請求項７】
前記閲覧制限付加部は、前記閲覧制限情報に示される暗号化方式に従い閲覧制限を付加する処理を行うことを特徴とする請求項２に記載のディジタル画像撮影装置。
【請求項８】
前記暗号化方式は、固定情報、撮影者の位置情報、被写体の位置情報、被写体の電子情報、あるいは、これら何れかの情報と時間情報を用いることを特徴とする請求項７に記載のディジタル画像撮影装置。
【請求項９】
前記閲覧制限情報に示される暗号化強度に従って閲覧制限を付加する処理の量を決定することを特徴とする請求項２に記載のディジタル画像撮影装置。
【請求項１０】
所定情報が埋め込まれ、閲覧制限を付加したディジタル画像を入力する入力部と、
前記所定情報を読み出す所定情報読み出し部と、
前記読み出した所定情報を基に閲覧制限を解除できるか否かについて問い合わせ、その分析結果となる閲覧制限情報を取得する通信部と、
前記ディジタル画像を一旦保持し、前記通信部から取得する前記閲覧制限情報に従って閲覧制限を解除する処理を行う閲覧制限処理部とを備えることを特徴とする表示装置。
【請求項１１】
前記所定情報は、撮影者の位置あるいは被写体の位置であることを特徴とする請求項１０に記載の表示装置。
【請求項１２】
前記所定情報は、被写体の電子情報であることを特徴とする請求項１０に記載の表示装置。
【請求項１３】
前記所定情報は、撮影時間情報を含むことを特徴とする請求項１０に記載の表示装置。
【請求項１４】
閲覧制限を付加するか否かについて決定する閲覧制限決定テーブルを管理するデータベース部と、
入力される所定情報を基に、前記閲覧制限決定テーブルを引いて閲覧制限を解除できるか否かについて分析し、その結果となる閲覧制限情報を取得する検索・分析部と、
前記所定情報を入力した装置に対して前記閲覧制限情報を送信する通信部とを備えることを特徴とする権利情報サーバ。
【請求項１５】
前記所定情報は、撮影者の位置あるいは被写体の位置であることを特徴とする請求項１４に記載の権利情報サーバ。
【請求項１６】
前記所定情報は、被写体の電子情報であることを特徴とする請求項１４に記載の権利情報サーバ。
【請求項１７】
前記所定情報は、撮影時間情報を含むことを特徴とする請求項１４に記載の権利情報サーバ。
【請求項１８】
前記通信部から閲覧制限を付加したディジタル画像を取得し、当該ディジタル画像に埋め込まれた前記所定情報を読み出す所定情報読み出し部と、前記読み出した所定情報を基に閲覧制限情報を取得し、これに従って前記ディジタル画像の閲覧制限を解除する処理を行う閲覧制限処理部とを備えることを特徴とする請求項１４に記載の権利情報サーバ。
【請求項１９】
前記閲覧制限決定テーブルは、閲覧できる情報について、閲覧制限を解除できる復号鍵も関連付けて管理し、前記復号鍵は、固定情報、閲覧可能な位置情報、閲覧可能な被写体の電子情報、あるいは、これら何れかの情報と時間情報を用いて生成されることを特徴とする請求項１４に記載の権利情報サーバ。
【請求項２０】
前記閲覧制限決定テーブルは、閲覧できない情報について、閲覧制限を付加する暗号化方式を示した情報を関連付けて管理し、前記暗号化方式は、固定情報、閲覧不可である位置情報、閲覧不可である被写体の電子情報、あるいは、これら何れかの情報と時間情報を用いて行うことを示すことを特徴とする請求項１４に記載の権利情報サーバ。
【請求項２１】
前記閲覧制限決定テーブルは、閲覧できない情報について、閲覧制限処理の量を示す暗号化レベルを関連付けて管理することを特徴とする請求項２０に記載の権利情報サーバ。
【請求項２２】
撮影したディジタル画像を入力する入力部と、
所定情報を検出する所定情報検出部と、
前記ディジタル画像に前記検出した所定情報を埋め込む所定情報埋込部と、
前記所定情報が埋め込まれた前記ディジタル画像に閲覧制限を付加する処理を行う閲覧制限付加部とを備えるディジタル画像撮影装置と、
前記ディジタル画像撮影装置から出力される、所定情報が埋め込まれ、閲覧制限を付加したディジタル画像を入力する入力部と、
前記所定情報を読み出す所定情報読み出し部と、
前記読み出した所定情報を基に閲覧制限を解除できるか否かについて問い合わせ、その分析結果となる閲覧制限情報を取得する通信部と、
前記ディジタル画像を一旦保持し、前記通信部から取得する前記閲覧制限情報に従って閲覧制限を解除する処理を行う閲覧制限処理部とを備える表示装置と、
閲覧制限を付加するか否かについて決定する閲覧制限決定テーブルを管理するデータベース部と、前記表示装置から入力される前記所定情報を基に、前記閲覧制限決定テーブルを引いて閲覧制限を解除できるか否かについて分析し、その結果となる閲覧制限情報を取得する検索・分析部と、前記所定情報を入力した前記表示装置に対して前記閲覧制限情報を送信する通信部とを備える権利情報サーバと、を備えることを特徴とするディジタル画像管理システム。
【請求項２３】
前記ディジタル画像撮影装置は、前記検出した所定情報を基に閲覧制限を付加するか否かについて前記権利情報サーバに問い合わせ、その分析結果となる閲覧制限情報を取得する通信部を備え、前記閲覧制限付加部は、前記通信部から取得する前記閲覧制限情報に従って閲覧制限を付加する処理を行うことを特徴とする請求項２２に記載のディジタル画像管理システム。
【請求項２４】
前記ディジタル画像撮影装置は、前記権利情報サーバで管理している前記閲覧制限決定テーブルを定期的に取得して管理し、前記ディジタル画像撮影装置で検出した所定情報を基に前記閲覧制限決定テーブルを用いて閲覧制限を付加するか否かについての分析結果となる閲覧制限情報を取得し、前記閲覧制限付加部は、前記閲覧制限情報に従って閲覧制限を付加する処理を行うことを特徴とする請求項２２に記載のディジタル画像管理システム。
【請求項２５】
前記表示装置に備えた前記所定情報読み出し部及び前記閲覧制限処理部を前記権利情報サーバに備えることを特徴とする請求項２２に記載のディジタル画像管理システム。
【請求項２６】
ディジタル画像を撮影するディジタル画像撮影装置では、
撮影したディジタル画像を入力する工程と、
所定情報を検出する工程と、
前記ディジタル画像に前記検出した所定情報を埋め込む工程と、
前記所定情報が埋め込まれた前記ディジタル画像に閲覧制限を付加する処理を行う工程とを有し
ディジタル画像を表示する表示装置では、前記ディジタル画像撮影装置から出力される、所定情報が埋め込まれ、閲覧制限を付加したディジタル画像を入力する工程と、
前記所定情報を読み出す工程と、
前記読み出した所定情報を基に閲覧制限を解除できるか否かについて、それを決定する権利情報サーバに対して問い合わせる工程と、
その分析結果となる閲覧制限情報を前記権利情報サーバから取得する工程と、
前記取得する前記閲覧制限情報に従って前記ディジタル画像の閲覧制限を解除する処理を行う工程と、を有するディジタル画像管理方法。
【請求項２７】
前記ディジタル画像撮影装置では、前記検出した所定情報を基に閲覧制限を付加するか否かについて前記権利情報サーバに問い合わせる工程と、その分析結果となる閲覧制限情報を取得する前記権利情報サーバから取得する工程と、前記取得した前記閲覧制限情報に従って閲覧制限を付加する処理を行う工程とを有することを特徴とする請求項２６に記載のディジタル画像管理方法。
【請求項２８】
前記ディジタル画像撮影装置では、前記権利情報サーバで管理している前記閲覧制限決定テーブルを定期的に取得して管理し、前記ディジタル画像撮影装置で検出した所定情報を基に前記閲覧制限決定テーブルを用いて閲覧制限を付加するか否かについての分析結果となる閲覧制限情報を取得する工程と、前記閲覧制限情報に従って閲覧制限を付加する処理を行う工程とを有することを特徴とする請求項２６に記載のディジタル画像管理方法。
【請求項２９】
前記表示装置で行う、前記所定情報を読み出す工程と、前記閲覧制限情報に従って前記ディジタル画像の閲覧制限を解除する処理を行う工程とを、前記権利情報サーバで行うことを特徴とする請求項２６に記載のディジタル画像管理方法。
【発明の詳細な説明】
【技術分野】
【０００１】  本発明は、撮影したディジタル画像に閲覧制限を付加し、ディジタル画像の表示は、閲覧の許可がされている場合にのみ表示できるディジタル画像撮影装置に関する。
【背景技術】
【０００２】  近年、ディジタル画像撮影装置、携帯電話、コンピュータ技術、インターネット、電子メール等の発展に伴い、ディジタル画像の交換や配布が簡単になり、広く利用されるようになってきている。周知のように、ディジタル画像撮影装置で撮影されるディジタル画像は、パソコン等を利用してインターネット上で共有することができ、インターネットに接続している人であれば誰でも閲覧することができる。【０００３】  また、携帯電話には１００万画素以上のディジタル画像撮影機能が搭載されるようになってきている。撮影されるディジタル画像は、画像データとしてそのまま電子メールにて送信でき、受信した人はディジタル画像を閲覧することができる。ディジタル画像撮影装置やその機能を搭載した携帯電話等で撮影されるディジタル画像は家族や友人等との間で閲覧できるだけでなく、インターネットを利用する人との間で無制限に共有でき、簡単に閲覧することができるという利点を有する。また、ディジタル画像は編集も簡単にできるという利点も有する。このように、ディジタル画像は、撮影、共有、及び編集が簡単にできるという多くの利点を有するものであるが、同時に下記のような問題も抱えている。【０００４】  例えば、美術館やコンサート会場等では、その場所が撮影禁止場所であっても、ディジタル画像撮影装置やその機能を搭載した携帯電話等を用いれば、簡単に撮影することができてしまうという問題がある。また、個人のプライバシーに触れるような画像についても制限できておらず、肖像権や著作権の保護も何らなされていないという問題もある。また、盗撮等の犯罪や、他人の写真を無断で編集して不特定多数に配布するといった問題も増加している。これらの問題の解決策は、現在のところ、個人のモラルにまかせるか、人を使ってチェックするという手段でしか採られていない。
【特許文献１】特開２０００−３４１６３４号公報
【発明の開示】
【発明が解決しようとする課題】
【０００５】  このような問題に着目し、本発明は、撮影されるディジタル画像に対して、閲覧制限を付加する処理を行うディジタル画像撮影装置、閲覧制限を付加しない条件でのみ撮影状態のディジタル画像を表示する表示装置、ならびに、閲覧制限を付加するか否かの権利情報を管理する権利情報サーバを提供することを目的とし、それらを用いたディジタル画像管理システムとその方法も提供する。
【課題を解決するための手段】
【０００６】  本発明のディジタル画像撮影装置は、撮影したディジタル画像を入力する入力部と、所定情報を検出する所定情報検出部と、前記ディジタル画像に前記検出した所定情報を埋め込む所定情報埋込部と、前記所定情報が埋め込まれた前記ディジタル画像に閲覧制限を付加する処理を行う閲覧制限付加部とを備えることを特徴としている。【０００７】  また、本発明の表示装置は、前記ディジタル画像撮影装置から出力される、所定情報が埋め込まれ、閲覧制限を付加したディジタル画像を入力する入力部と、前記所定情報を読み出す所定情報読み出し部と、前記読み出した所定情報を基に閲覧制限を解除できるか否かについて問い合わせ、その分析結果となる閲覧制限情報を取得する通信部と、前記ディジタル画像を一旦保持し、前記通信部から取得する前記閲覧制限情報に従って閲覧制限を解除する処理を行う閲覧制限処理部とを備えることを特徴としている。【０００８】  また、本発明のディジタル画像撮影装置は、検出した所定情報を基に閲覧制限を付加するか否かについて問い合わせ、その分析結果となる閲覧制限情報を取得する通信部を備え、前記閲覧制限付加部は、前記通信部から取得する前記閲覧制限情報に従って閲覧制限を付加する処理を行うことを特徴としている。【０００９】  また、本発明の権利情報サーバは、閲覧制限を付加するか否かについて決定する閲覧制限決定テーブルを管理するデータベース部と、前記表示装置から入力される前記所定情報を基に、前記閲覧制限決定テーブルを引いて閲覧制限を解除できるか否かについて分析し、その結果となる閲覧制限情報を取得する検索・分析部と、前記所定情報を入力した前記表示装置に対して前記閲覧制限情報を送信する通信部とを備えることを特徴としている。
【発明の効果】
【００１０】  本発明によれば、ディジタル画像撮影時に所定情報を検出し、これを撮影したディジタル画像に埋め込んで閲覧制限を付加する処理を行い、閲覧時に当該所定情報について分析した閲覧制限情報を取得し、これに従って閲覧制限を解除する処理を行うので、閲覧制限を付加する条件で撮影されたディジタル画像は解除されないままの状態で表示され、一方、閲覧制限を付加しない条件で撮影されたディジタル画像は閲覧制限が解除されて撮影状態のディジタル画像を表示することができる。その結果、従来のディジタル画像撮影装置が抱えていた上記問題を解決することができる。【００１１】  また、本発明によれば、ディジタル画像撮影時に所定情報を検出し、検出した所定情報を基に閲覧制限を付加するか否かを示す閲覧制限情報を取得し、これに従って閲覧制限を付加する処理を行うので、閲覧制限を付加する条件で撮影されたディジタル画像には閲覧制限が付加されてから表示され、一方、閲覧制限を付加しない条件で撮影されたディジタル画像には閲覧制限が付加されずに表示される。その結果、従来のディジタル画像撮影装置が抱えていた上記問題を解決することができる。
【図面の簡単な説明】
【００１２】
【図１】本発明のディジタル画像管理システムと各ブロックの内部構成を示す図（実施例１）
【図２】本発明のディジタル画像管理システムにおける処理の流れを示す図（実施例１）
【図３】閲覧制限決定テーブルを示す図（実施例１）
【図４】本発明のディジタル画像管理システムと各ブロックの内部構成を示す図（実施例２）
【図５】本発明のディジタル画像管理システムにおける処理の流れを示す図（実施例２）
【図６】閲覧制限決定テーブルを示す図（実施例２）
【図７】本発明のディジタル画像管理システムと各ブロックの内部構成を示す図（実施例３）
【図８】本発明のディジタル画像管理システムにおける処理の流れを示す図（実施例３）
【図９】閲覧制限決定テーブルを示す図（実施例３）
【図１０】本発明のディジタル画像管理システムと各ブロックの内部構成を示す図（実施例４）
【図１１】本発明のディジタル画像管理システムにおける処理の流れを示す図（実施例４）
【図１２】閲覧制限決定テーブルを示す図（実施例４）
【図１３】本発明のディジタル画像管理システムと各ブロックの内部構成を示す図（実施例５）
【図１４】本発明のディジタル画像管理システムにおける処理の流れを示す図（実施例５）
【図１５】閲覧制限決定テーブルを示す図（実施例５）
【図１６】本発明のディジタル画像管理システムと各ブロックの内部構成を示す図（実施例６）
【図１７】本発明のディジタル画像管理システムにおける処理の流れを示す図（実施例６）
【図１８】閲覧制限決定テーブルを示す図（実施例６）
【図１９】本発明のディジタル画像管理システムと各ブロックの内部構成を示す図（実施例７）
【図２０】閲覧制限決定テーブルを示す図（実施例７）
【符号の説明】
【００１３】  １００  ディジタル画像撮影装置
１０１  入力部
１０２  撮影位置情報検出部
１０３  撮影位置情報埋め込み部
１０４  閲覧制限付加部
１０５  記録部
１０６  出力部
１０７  通信部
１０８  被写体電子情報検出部
１０９  被写体電子情報埋め込み部
１１０  撮影時間取得部
１１１  撮影情報埋め込み部
１１２  閲覧制限制御部
２００  表示装置
２０１  入力部
２０２  撮影位置情報読出し部
２０３  通信部
２０４  閲覧制限処理部
２０５  表示部
２０６  被写体電子情報読出し部
２０７  撮影情報読出し部
３００  権利情報サーバ
３０１  通信部
３０２  検索・分析部
３０３  データベース部
３０４  撮影位置情報読出し部
３０５  閲覧制限処理部
【発明を実施するための最良の形態】
【００１４】  以下、本発明を実施するための最良の形態を、各実施例により詳細に説明する。なお、本発明は以下の実施例で説明する範囲に限定されるものではなく、その要旨を逸脱しない範囲であれば適宜に変更、実施できるものである。
【実施例１】
【００１５】  以下、本発明の第１実施例について図１乃至図３を用いて説明する。本実施例では、ディジタル画像の撮影時に撮影者の位置情報を検出し、これを撮影したディジタル画像に埋め込んで閲覧制限を付加する処理を行い、閲覧時に当該撮影者の位置情報を権利情報サーバに送って閲覧制限を解除できるか問い合わせ、権利情報サーバから分析結果となる閲覧制限情報を取得し、これに従って閲覧制限を解除する処理を行う形態について説明する。本実施例のディジタル画像管理システムは、ディジタル画像撮影装置１００、表示装置２００、及び権利情報サーバ３００からなる。【００１６】  ディジタル画像撮影装置１００は、静止画または動画のディジタル画像を撮影できるものであり、ディジタルカメラやその機能を搭載した携帯電話等がある。ディジタル画像撮影装置１００は、入力部１０１、撮影位置情報検出部１０２、撮影位置情報埋め込み部１０３、閲覧制限付加部１０４、記録部１０５、及び出力部１０６を備えている。また、表示装置２００は、静止画または動画のディジタル画像を画面上に表示する装置であり、例えば携帯電話やディジタルカメラに搭載されているディスプレイ等がある。表示装置２００は、入力部２０１、撮影位置情報読み出し部２０２、通信部２０３、閲覧制限処理部２０４、及び表示部２０５を備えている。また、権利情報サーバ３００は、位置情報と閲覧制限を解除できるか否かの権利情報とを関連付けて管理しているサーバであり、例えばインターネット等のネットワーク上に存在する。権利情報サーバ３００は、通信部３０１ａ、検索・分析部３０２ａ、及びデータベース部３０３ａを備えている。【００１７】  以下、ディジタル画像管理システムの処理動作を説明する。はじめに、撮影者はディジタル画像撮影装置１００により撮影を行う（Ｓ４０１）と、入力部１０１では撮影されたディジタル画像を入力し（Ｓ４０２）、撮影位置情報検出部１０２では撮影者の位置情報を検出する（Ｓ４０３）。撮影者の位置情報は、撮影者の位置を経度と緯度で表すＧＰＳ（Ｇｌｏｂａｌ  Ｐｏｓｉｔｉｏｎｉｎｇ  Ｓｙｓｔｅｍ）情報を用い、これを検出するにはＧＰＳ受信機を用いる。つづいて、撮影位置情報埋め込み部１０３では撮影されたディジタル画像と検出した撮影者の位置情報が入力され、ディジタル画像に撮影者の位置情報を埋め込む（Ｓ４０４）。ディジタル画像への位置情報の埋め込みは、ユーザの改ざんを防ぎ、埋め込まれた位置情報の信頼性を保証するために電子透かしを利用する。なお、ここで埋め込まれる位置情報は図示せぬ電子署名機能により信頼性が保証される。撮影者の位置情報を埋め込んだディジタル画像は閲覧制限付加部１０４に入力され、閲覧制限付加部１０４では位置情報を埋め込んだディジタル画像に対して全体あるいは一部にモザイクやぼかし、あるいは切り取り等の暗号化処理を施して閲覧制限を付加する（Ｓ４０５）。暗号化方式は鍵によって元の撮影画像を復元できればよく、特に限定するものではない。なお、本実施例では電子透かしを利用する。また、暗号化方式は、固定情報により暗号化を行う形態や、検出された撮影者の位置情報により暗号化を行う形態等があり、これらはシステムの運用形態により異なる��本実施例では、固定情報により行う形態を実施するものとし、固定情報を用いて暗号化処理を施す。その後、閲覧制限を付加したディジタル画像は記録部１０５と出力部１０６に出力される（Ｓ４０６）。記録部１０５は内蔵されたものや取り外し可能なものがある。また、出力部１０６は表示装置２００にディジタル画像を出力するものであり、ディジタル画像を出力する際は、出力部１０６と表示装置２００は有線あるいは無線により接続される。【００１８】  ディジタル画像撮影装置１００で撮影された画像を表示する際、閲覧制限を付加したディジタル画像は出力部１０６から表示装置２００の入力部２０１に入力される（Ｓ４０７）。なお、閲覧制限を付加したディジタル画像を取り外し可能な記録部１０５に記録した場合には、直接、入力部２０１に入力される。つづいて、入力部２０１に入力されたディジタル画像は撮影位置情報読み出し部２０２に入力され、撮影位置情報読み出し部２０２では、ディジタル画像撮影装置１００で埋め込まれた撮影者の位置情報を読み出す（Ｓ４０８）。本実施例において位置情報の読み出しは電子透かし読出しソフトウェアなどを用いて行う。閲覧制限付加したディジタル画像は読み出された撮影者の位置情報とともに閲覧制限処理部２０４に入力され、閲覧制限処理部２０４では画像を一旦保持し（Ｓ４０９）、一方、撮影者の位置情報を通信部２０３に入力する。通信部２０３は権利情報サーバ３００と通信を行い、撮影者の位置情報を送って閲覧制限を解除できるか問い合わせる（Ｓ４１０）。【００１９】  権利情報サーバ３００の通信部３０１ａでは撮影者の位置情報を取得し、これを検索・分析部３０２ａに入力する。検索・分析部３０２ａでは、入力される撮影者の位置情報を基に、データベース部３０３ａで管理している閲覧制限決定テーブルを引いて閲覧制限を解除できるか否かについて検索し、その分析結果となる閲覧制限情報を取得し、これを通信部３０１ａに入力する。なお、データベース部３０３ａで管理されている閲覧制限決定テーブルは信頼性が高いことを前提としている。図３に示すように、閲覧制限決定テーブルは、位置情報と閲覧制限を解除できるか否かの権利情報とを関連付けて管理しており、閲覧が可能な位置情報には閲覧制限を解除できる復号鍵も関連付けて管理している。例えば、本システムが固定情報により暗号化を行う形態である場合、ディジタル画像撮影装置１００では固定情報を用いて暗号化処理が施されている。検索・分析部３０２ａに入力された撮影者の位置情報が「ａ°，ａ’，ａ．ｘ”：Ａ°，Ａ’，Ａ．ｘ”」である場合、閲覧制限決定テーブルでは、当該位置情報を含む「ａ°，ａ’，ａ”：Ａ°，Ａ’，Ａ”（○○ドーム）」があるので、当該位置情報に対応する権利情報は閲覧可能であると分析し、閲覧制限を解除できることを示す閲覧制限情報を取得するとともに、関連付けて管理している固定情報により生成された復号鍵を取得し、これらを通信部３０１ａに入力する。一方、検索・分析部３０２ａに入力された撮影者の位置情報が「ａ°，ａ’，ｂ．ｘ”：Ａ°，Ａ’，Ｂ．ｘ”」である場合、閲覧制限決定テーブルでは、当該位置情報を含む情報が無いので、当該位置情報に対応する権利情報は閲覧���能ではないと分析し、閲覧制限を解除できないことを示す閲覧制限情報を取得し、これを通信部３０１ａに入力する。なお、この場合、復号鍵は取得できない。【００２０】  その後、通信部３０１ａは表示装置２００の通信部２０３へ上記閲覧制限情報を送り（Ｓ４１１）、通信部２０３は、これを閲覧制限処理部２０４へ入力する。閲覧制限処理部２０４では、一旦保持している閲覧制限付加したディジタル画像に対して、入力される閲覧制限情報に従って、閲覧制限を解除する処理を行い、その処理後、表示部２０５に画像を表示する。つまり、閲覧制限を解除できることを示す閲覧制限情報が入力された場合は、当該情報とともに入力される復号鍵を用いて閲覧制限を解除する処理を行い（Ｓ４１２→Ｓ４１３）、その処理後、撮影したディジタル画像を表示部２０５に表示する（Ｓ４１４）。一方、閲覧制限を解除できないことを示す閲覧制限情報が入力された場合は、閲覧制限は解除されず、閲覧制限付加したままのディジタル画像を表示部２０５に表示する（Ｓ４１２→Ｓ４１４）。【００２１】  以上、本実施例によれば、撮影時に撮影者の位置情報を検出し、これを撮影したディジタル画像に埋め込んで閲覧制限を付加する処理を行い、閲覧時に当該撮影者の位置情報を権利情報サーバに送って閲覧制限を解除できるか問い合わせ、権利情報サーバから分析結果となる閲覧制限情報を取得し、これに従って閲覧制限を解除する処理を行うので、閲覧制限情報を解除できる情報を取得した場合にのみ撮影したディジタル画像を閲覧することができ、従来のディジタル画像撮影装置が抱えていた上記問題を解決することができる。【００２２】  なお、表示装置において、閲覧制限を解除できない情報を取得した場合でも、権利情報サーバとの間で課金処理を行うことにより、閲覧制限を解除できる復号鍵を取得させるようにしても良い。【００２３】  また、本実施例では、撮影位置情報検出部で撮影者の位置情報を検出し、これをディジタル画像に埋め込み、当該撮影者位置情報を権利情報サーバに問い合わせているが、撮影位置情報検出部で被写体の位置情報を検出し、これをディジタル画像に埋め込み、当該被写体位置情報を権利情報サーバに問い合わせるようにしても良い。被写体の位置情報の検出は、ディジタル画像撮影装置に備えられているフォーカス機能（図示しない）を用いた被写体距離検出、カメラの傾きセンサ（図示しない）機能、レンズ特性である画角等を用いることで処理できる。【００２４】  また、本実施例では、暗号化処理は固定情報を用いて行っていたが、これらの処理はシステムの運用形態により異なるものであり、撮影者の位置情報や被写体の位置情報を用いて行う形態もある。撮影者の位置情報を用いる形態では、閲覧制限の付加は撮影者の位置情報を用いて暗号化を行い、一方、権利情報サーバで管理している閲覧制限決定テーブルは閲覧可能である位置情報を用いて生成された復号鍵を管理している。また、被写体の位置情報を用いる形態では、閲覧制限の付加は被写体の位置情報を用いて暗号化を行い、一方、権利情報サーバで管理している閲覧制限決定テーブルでは閲覧可能である位置情報を用いて生成された復号鍵を管理している。
【実施例２】
【００２５】  以下、本発明の第２実施例について図４乃至図６を用いて説明する。本実施例では、ディジタル画像の撮影前に、撮影者の位置情報を検出し、これを権利情報サーバに送って当該位置で撮影されるディジタル画像に閲覧制限を付加するか問い合わせ、権利情報サーバから分析結果となる閲覧制限情報を取得し、これに従って閲覧制限を付加する処理を行う形態について説明する。本実施例のディジタル画像管理システムは、ディジタル画像撮影装置１００、表示装置２００、及び権利情報サーバ３００からなる。【００２６】  ディジタル画像撮影装置１００は、入力部１０１、撮影位置情報検出部１０２、撮影位置情報埋め込み部１０３、閲覧制限付加部１０４、記録部１０５、出力部１０６、及び通信部１０７を備えている。また、表示装置２００は、入力部２０１、及び表示部２０５を備えている。また、権利情報サーバ３００は、通信部３０１ａ、検索・分析部３０２ａ、及びデータベース部３０３ａを備えている。【００２７】  以下、ディジタル画像管理システムの処理動作を説明する。はじめに、撮影者の操作に従って、撮影位置情報検出部１０２では撮影者の位置情報を検出する（Ｓ５０１）。撮影者の位置情報は、撮影者の位置を経度と緯度で表すＧＰＳ（Ｇｌｏｂａｌ  Ｐｏｓｉｔｉｏｎｉｎｇ  Ｓｙｓｔｅｍ）情報を用い、これを検出するにはＧＰＳ受信機を用いる。検出された撮影者の位置情報は通信部１０７に送られ、通信部１０７では権利情報サーバ３００と通信を行い、撮影者の位置情報を送って閲覧制限を付加するか問い合わせる（Ｓ５０２）。権利情報サーバ３００の通信部３０１ａでは撮影者の位置情報を取得し、これを検索・分析部３０２ａに入力する。検索・分析部３０２ａでは、入力される撮影者の位置情報を基に、データベース部３０３ａで管理している閲覧制限決定テーブルを引いて閲覧制限を付加するか否かについて検索し、その分析結果となる閲覧制限情報を取得し、これを通信部３０１ａに入力する。例えば、検索・分析部３０２ａに入力された撮影者の位置情報が「ａ°，ａ’，ａ．ｘ”：Ａ°，Ａ’，Ａ．ｘ”」である場合、図６に示す閲覧制限決定テーブルでは、当該位置情報を含む「ａ°，ａ’，ａ”：Ａ°，Ａ’，Ａ”（○○ドーム）」があるので、当該位置情報に対応する権利情報は閲覧不可であると分析し、閲覧制限を付加することを示す閲覧制限情報を取得するとともに、これに関連付けて管理されている、固定情報により暗号化を行うことを示す暗号化方式を取得し、これらを通信部３０１ａに入力する。なお、データベース部３０３ａで管理されている閲覧制限決定テーブルは信頼性が高いことを前提としている。また、暗号化方式は鍵によって元の撮影画像を復元できればよく、特に限定するものではない。なお、本実施例では電子透かしを利用する。また、暗号化方式は、固定情報により暗号化を行う形態や、検出された撮影者の位置情報により暗号化を行う形態等があり、これらは閲覧制限決定テーブルに示す暗号化方式により決定される。一方、検索・分析部３０２ａに入力された撮影者の位置情報が「ａ°，ａ’，ｂ．ｘ”：Ａ°，Ａ’，Ｂ．ｘ”」である場合、閲覧制限決定テーブルでは、当該位置情報を含む情報は無いので、当該��置情報に対応する権利情報は閲覧可能であると分析し、閲覧制限を付加しないことを示す閲覧制限情報を取得し、これを通信部３０１ａに入力する。なお、この場合、暗号化方式は取得しない。【００２８】  その後、通信部３０１ａは通信部１０７へ上記閲覧制限情報を送り（Ｓ５０３）、通信部１０７は、これを閲覧制限付加部１０４へ入力する。また、権利情報サーバ３００から取得した上記閲覧制限情報は撮影者が確認することができ、閲覧制限付加されないことや（Ｓ５０４→Ｓ５０５）、閲覧制限付加されることを確認できる（Ｓ５０４→Ｓ５０６）。閲覧制限付加部１０４では撮影位置情報検出部１０２で検出した撮影者の位置情報と入力される閲覧制限情報を関連付けて管理しておく。【００２９】  次に、撮影者はディジタル画像撮影装置１００により撮影を行う（Ｓ５０７）と、入力部１０１では撮影されたディジタル画像を入力し（Ｓ５０８）、撮影位置情報埋込部１０３では、撮影されたディジタル画像とステップ５０１で検出した撮影者の位置情報を入力し、ディジタル画像に撮影者の位置情報を埋め込む（Ｓ５０９）。ディジタル画像への位置情報の埋め込みは、ユーザの改ざんを防ぎ、埋め込まれた位置情報の信頼性を保証するために電子透かしを利用する。なお、ここで埋め込まれる位置情報は図示せぬ電子署名機能により信頼性が保証される。撮影者の位置情報を埋め込んだディジタル画像は閲覧制限付加部１０４に入力され、閲覧制限付加部１０４ではディジタル画像に埋め込まれた位置情報を基に、これと関連付けて管理している閲覧制限情報を取得し、これに従ってディジタル画像に対して閲覧制限を付加する処理を行う。つまり、閲覧制限を付加することを示す閲覧制限情報が入力されていた場合は（Ｓ５１０→Ｓ５１１）、当該情報とともに取得する暗号化方式に従いディジタル画像に対して全体あるいは一部にモザイクやぼかし、あるいは切り取り等の暗号化処理を施して閲覧制限を付加する。一方、閲覧制限を付加しないことを示す閲覧制限情報が入力されていた場合は、ディジタル画像に対して暗号化処理は施さない。閲覧制限情報に従って閲覧制限を付加する処理を行った後、ディジタル画像は記録部１０５と出力部１０６に出力される（Ｓ５１２）。記録部１０５は内蔵されたものや取り外し可能なものがある。また、出力部１０６は表示装置２００にディジタル画像を出力するものであり、ディジタル画像を出力する際は、出力部１０６と表示装置２００は有線あるいは無線により接続される。ディジタル画像撮影装置１００で閲覧制限処理されたディジタル画像は、記録部１０５または出力部１０６から表示装置２００の入力部２０１に入力し、これを表示部１０５に表示することで閲覧できる。【００３０】  以上、本実施例によれば、ディジタル画像の撮影前に、撮影者の位置情報を検出し、これを権利情報サーバに送って当該撮影位置情報で閲覧制限を付加するか問い合わせ、権利情報サーバから分析結果となる閲覧制限情報を取得し、これに従って閲覧制限を付加する処理を行っており、閲覧制限を付加することを示す閲覧制限情報を取得した場合には、撮影されるディジタル画像に対して閲覧制限が付加されるので、従来のディジタル画像撮影装置が抱えてい��上記問題を解決することができる。【００３１】  なお、ディジタル画像撮影装置において、閲覧制限を付加することを示す閲覧制限情報を取得した場合でも、権利情報サーバとの間で課金処理を行うことにより、閲覧制限を付加しないことを示す閲覧制限情報を取得できるようにしても良い。【００３２】  また、本実施例では、撮影位置情報検出部で撮影者の位置情報を検出し、これを権利情報サーバに送って当該撮影位置情報で閲覧制限を付加するか問い合わせているが、撮影位置情報検出部で被写体の位置情報を検出し、これを権利情報サーバに問い合わせるようにしても良い。被写体の位置情報の検出は、ディジタル画像撮影装置に備えられているフォーカス機能（図示しない）を用いた被写体距離検出、カメラの傾きセンサ（図示しない）機能、レンズ特性である画角等を用いることで処理できる。【００３３】  また、本実施例では、閲覧制限を付加することを示す閲覧制限情報において、暗号化方式は固定情報により暗号化を行うことについて説明したが、図６に示す閲覧制限決定テーブルでは、検出した撮影者の位置情報が「ｂ°，ｂ’，ｂ．ｙ”：Ｂ°，Ｂ’，Ｂ．ｙ”」である場合は当該撮影者の位置情報が含まれる「ｂ°，ｂ’，ｂ”：Ｂ°，Ｂ’，Ｂ”」を用いて暗号化を行い、また、検出した被写体の位置情報が「ｃ°，ｃ’，ｃ．ｚ”：Ｃ°，Ｃ’，Ｃ．ｙ”」である場合は当該被写体の位置情報が含まれる「ｃ°，ｃ’，ｃ”：Ｃ°，Ｃ’，Ｃ”」を用いて暗号化を行う。すなわち、閲覧制限を付加する位置情報を検出した場合には、閲覧制限決定テーブルに示される暗号化方式に従って暗号化を行う。【００３４】  また、本実施例では、ディジタル画像の撮影前に閲覧制限情報を取得する問い合わせを行っているが、撮影と同時、あるいは直後に閲覧制限情報を取得する問い合わせを行っても良い。なお、閲覧制限付加部において、閲覧制限情報が入力されず、撮影されたディジタル画像のみが入力された場合には、ディジタル画像に対して閲覧制限を付加する処理を行うものとする。
【実施例３】
【００３５】  以下、本発明の第３実施例について図７乃至図９を用いて説明する。本実施例では、ディジタル画像の撮影時に被写体の電子情報を検出し、これを撮影したディジタル画像に埋め込んで閲覧制限を付加する処理を行い、閲覧時に当該被写体の電子情報を権利情報サーバに送って閲覧制限を解除できるか問い合わせ、権利情報サーバから分析結果となる閲覧制限情報を取得し、これに従って閲覧制限を解除する処理を行う形態について説明する。本実施例のディジタル画像管理システムは、ディジタル画像撮影装置１００、表示装置２００、及び権利情報サーバ３００からなる。【００３６】  ディジタル画像撮影装置１００は、入力部１０１、被写体電子情報検出部１０８、被写体電子情報埋め込み部１０９、閲覧制限付加部１０４、記録部１０５、及び出力部１０６を備えている。また、表示装置２００は、入力部２０１、被写体電子情報読み出し部２０６、通信部２０３、閲覧制限処理部２０４、及び表示部２０５を備えている。また、権利情報サーバ３００は、通信部３０１ｂ、検索・分析部３０２ｂ、及びデータベース部３０３ｂを備えている。【００３７】  以下、ディジタル画像管理システムの処理動作を説明する。はじめに、撮影者はディジタル画像撮影装置１００により撮影を行う（Ｓ６０１）と、入力部１０１では撮影されたディジタル画像を入力し（Ｓ６０２）、被写体電子情報検出部１０８では被写体に備えられているＲＦＩＤタグに記録された被写体固有のＩＤを検出または受信して、被写体の電子情報を検出する（Ｓ６０３）。これを検出または受信するにはＲＦＩＤ（Ｒａｄｉｏ  Ｆｒｅｑｕｅｎｃｙ  Ｉｄｅｎｔｉｆｉｃａｔｉｏｎ）リーダを用いる。つづいて、被写体電子情報埋め込み部１０９では撮影されたディジタル画像と検出した被写体の電子情報が入力され、ディジタル画像に被写体の電子情報を埋め込む（Ｓ６０４）。ディジタル画像への電子情報の埋め込みは、ユーザの改ざんを防ぎ、埋め込まれた電子情報の信頼性を保証するために電子透かしを利用する。なお、ここで埋め込まれる被写体電子情報は図示せぬ電子署名機能により信頼性が保証される。被写体の電子情報を埋め込んだディジタル画像は閲覧制限付加部１０４に入力され、閲覧制限付加部１０４では被写体電子情報を埋め込んだディジタル画像に対して全体あるいは一部にモザイクやぼかし、あるいは切り取り等の暗号化処理を施して閲覧制限を付加する（Ｓ６０５）。暗号化方式は鍵によって元の撮影画像を復元できればよく、特に限定するものではない。なお、本実施例では電子透かしを利用する。また、暗号化方式は、固定情報により暗号化を行う形態や、検出された被写体の電子情報により暗号化を行う形態等があり、これらはシステムの運用形態により異なる。本実施例では、固定情報により行う形態を実施するものとし、固定情報を用いて暗号化処理を施す。その後、閲覧制限を付加したディジタル画像は記録部１０５と出力部１０６に出力される（Ｓ６０６）。記録部１０５は内蔵されたものや取り外し可能なものがある。また、出力部１０６は表示装置２００にディジタル画像を出力するものであり、ディジタル画像を出力する際は、出力部１０６と表示装置２００は有線あるいは無線に��り接続される。【００３８】  ディジタル画像撮影装置１００で撮影された画像を表示する際、閲覧制限を付加したディジタル画像は出力部１０６から表示装置２００の入力部２０１に入力される（Ｓ６０７）。なお、閲覧制限を付加したディジタル画像を取り外し可能な記録部１０５に記録した場合には、直接、入力部２０１に入力される。つづいて、入力部２０１に入力されたディジタル画像は被写体電子情報読み出し部２０６に入力され、被写体電子情報読み出し部２０６では、ディジタル画像撮影装置１００で埋め込まれた被写体の電子情報を読み出す（Ｓ６０８）。本実施例において被写体電子情報の読み出しは電子透かし読出しソフトウェアなどを用いて行う。閲覧制限付加したディジタル画像は読み出された被写体電子情報とともに閲覧制限処理部２０４に入力され、閲覧制限処理部２０４では画像を一旦保持し（Ｓ６０９）、一方、被写体の電子情報を通信部２０３に入力する。通信部２０３は権利情報サーバ３００と通信を行い、被写体の電子情報を送って閲覧制限を解除できるか問い合わせる（Ｓ６１０）。【００３９】  権利情報サーバ３００の通信部３０１ｂでは被写体の電子情報を取得し、これを検索・分析部３０２ｂに入力する。検索・分析部３０２ｂでは、入力される被写体の電子情報を基に、データベース部３０３ｂで管理している閲覧制限決定テーブルを引いて閲覧制限を解除できるか否かについて検索し、その分析結果となる閲覧制限情報を取得し、これを通信部３０１ｂに入力する。なお、データベース部３０３ｂで管理されている閲覧制限決定テーブルは信頼性が高いことを前提としている。図９に示すように、閲覧制限決定テーブルは、被写体電子情報と閲覧制限を解除できるか否かの権利情報とを関連付けて管理しており、閲覧が可能な被写体電子情報には閲覧制限を解除できる復号鍵も関連付けて管理している。例えば、本システムが固定情報により暗号化を行う形態である場合、ディジタル画像撮影装置１００では固定情報を用いて暗号化処理が施されている。検索・分析部３０２ｂに入力された被写体の電子情報が「Ｘ１１」である場合、閲覧制限決定テーブルでは、当該電子情報と同じ「Ｘ１１」があるので、当該電子情報に対応する権利情報は閲覧可能であると分析し、閲覧制限を解除できることを示す閲覧制限情報を取得するとともに、関連付けて管理している固定情報により生成された復号鍵を取得し、これらを通信部３０１ｂに入力する。一方、検索・分析部３０２ｂに入力された被写体の電子情報が「Ｘ１２」である場合、閲覧制限決定テーブルでは、当該電子情報と同じものは無いので、当該電子情報に対応する権利情報は閲覧可能ではないと分析し、閲覧制限を解除できないことを示す閲覧制限情報を取得し、これを通信部３０１ｂに入力する。なお、この場合、復号鍵は取得できない。【００４０】  その後、通信部３０１ｂは表示装置２００の通信部２０３へ上記閲覧制限情報を送り（Ｓ６１１）、通信部２０３は、これを閲覧制限処理部２０４へ入力する。閲覧制限処理部２０４では、一旦保持している閲覧制限付加したディジタル画像に対して、入力される閲覧制限情報に従って、閲覧制限を解除する処理を行い、その処理後、表示部２０５に画像を表��する。つまり、閲覧制限を解除できることを示す閲覧制限情報が入力された場合は、当該情報とともに入力される復号鍵を用いて閲覧制限を解除する処理を行い（Ｓ６１２→Ｓ６１３）、その処理後、撮影したディジタル画像を表示部２０５に表示する（Ｓ６１４）。一方、閲覧制限を解除できないことを示す閲覧制限情報が入力された場合は、閲覧制限は解除されず、閲覧制限付加したままのディジタル画像を表示部２０５に表示する（Ｓ６１２→Ｓ６１４）。【００４１】  以上、本実施例によれば、撮影時に被写体の電子情報を検出し、これを撮影したディジタル画像に埋め込んで閲覧制限を付加する処理を行い、閲覧時に当該被写体の電子情報を権利情報サーバに送って閲覧制限を解除できるか問い合わせ、権利情報サーバから分析結果となる閲覧制限情報を取得し、これに従って閲覧制限を解除する処理を行うので、閲覧制限情報を解除できる情報を取得した場合にのみ撮影したディジタル画像を閲覧することができ、従来のディジタル画像撮影装置が抱えていた上記問題を解決することができる。【００４２】  なお、表示装置において、閲覧制限を解除できない情報を取得した場合でも、権利情報サーバ３００との間で課金処理を行うことにより、閲覧制限を解除できる復号鍵を取得させるようにしても良い。【００４３】  また、本実施例では、暗号化処理は固定情報を用いて行っていたが、これらの処理はシステムの運用形態により異なるものであり、被写体の電子情報を用いて行う形態もある。被写体の電子情報を用いる形態では、閲覧制限の付加は検出した被写体の電子情報を用いて暗号化を行い、一方、権利情報サーバで管理している閲覧制限決定テーブルは閲覧可能である被写体の電子情報を用いて生成された復号鍵を管理している。
【実施例４】
【００４４】  以下、本発明の第４実施例について図１０乃至図１２を用いて説明する。本実施例では、ディジタル画像の撮影前に、被写体の電子情報を検出し、これを権利情報サーバに送って当該被写体を撮影したディジタル画像に閲覧制限を付加するか問い合わせ、権利情報サーバから分析結果となる閲覧制限情報を取得し、これに従って閲覧制限を付加する処理を行う形態について説明する。本実施例のディジタル画像管理システムは、ディジタル画像撮影装置１００、表示装置２００、及び権利情報サーバ３００からなる。【００４５】  ディジタル画像撮影装置１００は、入力部１０１、被写体電子情報検出部１０８、被写体電子情報埋め込み部１０９、閲覧制限付加部１０４、記録部１０５、出力部１０６、及び通信部１０７を備えている。また、表示装置２００は、入力部２０１、及び表示部２０５を備えている。また、権利情報サーバ３００は、通信部３０１ｂ、検索・分析部３０２ｂ、及びデータベース部３０３ｂを備えている。【００４６】  以下、ディジタル画像管理システムの処理動作を説明する。はじめに、撮影者の操作に従って、被写体電子情報検出部１０８では被写体に備えられているＲＦＩＤタグに記録された被写体固有のＩＤを検出または受信して、被写体の電子情報を検出する（Ｓ７０１）。これを検出または受信するにはＲＦＩＤ（Ｒａｄｉｏ  Ｆｒｅｑｕｅｎｃｙ  Ｉｄｅｎｔｉｆｉｃａｔｉｏｎ）リーダを用いる。検出された被写体の電子情報は通信部１０７に送られ、通信部１０７では権利情報サーバ３００と通信を行い、被写体の電子情報を送って閲覧制限を付加するか問い合わせる（Ｓ７０２）。権利情報サーバ３００の通信部３０１ｂでは被写体の電子情報を取得し、これを検索・分析部３０２ｂに入力する。検索・分析部３０２ｂでは、入力される被写体の電子情報を基に、データベース部３０３ｂで管理している閲覧制限決定テーブルを引いて閲覧制限を付加するか否かについて検索し、その分析結果となる閲覧制限情報を取得し、これを通信部３０１ｂに入力する。例えば、検索・分析部３０２ｂに入力された被写体の電子情報が「Ｘ１１」である場合、図１２に示す閲覧制限決定テーブルでは、当該電子情報と同じ「Ｘ１１」があるので、当該電子情報に対応する権利情報は閲覧不可であると分析し、閲覧制限を付加することを示す閲覧制限情報を取得するとともに、これに関連付けて管理されている、固定情報により暗号化を行うことを示す暗号化方式を取得し、これらを通信部３０１ｂに入力する。なお、データベース部３０３ｂで管理されている閲覧制限決定テーブルは信頼性が高いことを前提としている。また、暗号化方式は鍵によって元の撮影画像を復元できればよく、特に限定するものではない。なお、本実施例では電子透かしを利用する。また、暗号化方式は、固定情報により暗号化を行う形態や、検出された被写体の電子情報により暗号化を行う形態等があり、これらは閲覧制限決定テーブルに示す暗号化方式により決定される。一方、検索・分析部３０２ｂに入力された被写体の電子情報が「Ｘ１２」である場合、閲覧制限決定テーブルでは、当該電子情報と同じものは無いので、当該電子情報に対応する権利情報は閲覧可能であると分析し、閲覧制限��付加しないことを示す閲覧制限情報を取得し、これを通信部３０１ｂに入力する。なお、この場合、暗号化方式は取得しない。【００４７】  その後、通信部３０１ｂは通信部１０７へ上記閲覧制限情報を送り（Ｓ７０３）、通信部１０７は、これを閲覧制限付加部１０４へ入力する。また、権利情報サーバ３００から取得した上記閲覧制限情報は撮影者が確認することができ、閲覧制限付加されないことや（Ｓ７０４→Ｓ７０５）、閲覧制限付加されることを確認できる（Ｓ７０４→Ｓ７０６）。閲覧制限付加部１０４では被写体電子情報検出部１０８で検出した被写体の電子情報と入力される閲覧制限情報を関連付けて管理しておく。【００４８】  次に、撮影者はディジタル画像撮影装置１００により撮影を行う（Ｓ７０７）と、入力部１０１では撮影されたディジタル画像を入力し（Ｓ７０８）、被写体電子情報埋込部１０９では、撮影されたディジタル画像とステップ７０１で検出した被写体の電子情報を入力し、ディジタル画像に被写体の電子情報を埋め込む（Ｓ７０９）。ディジタル画像への電子情報の埋め込みは、ユーザの改ざんを防ぎ、埋め込まれた電子情報の信頼性を保証するために電子透かしを利用する。なお、ここで埋め込まれる被写体電子情報は図示せぬ電子署名機能により信頼性が保証される。被写体の電子情報を埋め込んだディジタル画像は閲覧制限付加部１０４に入力され、閲覧制限付加部１０４ではディジタル画像に埋め込まれた電子情報を基に、これと関連付けて管理している閲覧制限情報を取得し、これに従ってディジタル画像に対して閲覧制限を付加する処理を行う。つまり、閲覧制限を付加することを示す閲覧制限情報が入力されていた場合は（Ｓ７１０→Ｓ７１１）、当該情報とともに取得する暗号化方式に従いディジタル画像に対して全体あるいは一部にモザイクやぼかし、あるいは切り取り等の暗号化処理を施して閲覧制限を付加する。一方、閲覧制限を付加しないことを示す閲覧制限情報が入力されていた場合は、ディジタル画像に対して暗号化処理は施さない。閲覧制限情報に従って閲覧制限を付加する処理を行った後、ディジタル画像は記録部１０５と出力部１０６に出力される（Ｓ７１２）。記録部１０５は内蔵されたものや取り外し可能なものがある。また、出力部１０６は表示装置２００にディジタル画像を出力するものであり、ディジタル画像を出力する際は、出力部１０６と表示装置２００は有線あるいは無線により接続される。ディジタル画像撮影装置１００で閲覧制限処理されたディジタル画像は、記録部１０５または出力部１０６から表示装置２００の入力部２０１に入力し、これを表示部１０５に表示することで閲覧できる。【００４９】  以上、本実施例によれば、ディジタル画像の撮影前に、被写体の電子情報を検出し、これを権利情報サーバに送って当該被写体に閲覧制限を付加するか問い合わせ、権利情報サーバから分析結果となる閲覧制限情報を取得し、これに従って閲覧制限を付加する処理を行っており、閲覧制限を付加することを示す閲覧制限情報を取得した場合には、撮影されるディジタル画像に対して閲覧制限が付加されるので、従来のディジタル画像撮影装置が抱えていた上記問題を解決することができる。【００５０】  なお、ディジタル画像撮影装置において、閲覧制限を付加することを示す閲覧制限情報を取得した場合でも、権利情報サーバとの間で課金処理を行うことにより、閲覧制限を付加しないことを示す閲覧制限情報を取得できるようにしても良い。【００５１】  また、本実施例では、閲覧制限を付加することを示す閲覧制限情報において、暗号化方式は固定情報により暗号化を行うことについて説明したが、図１２に示す閲覧制限決定テーブルでは、検出した被写体の電子情報が「Ｘ２２」や「Ｘ３３」である場合は当該被写体の電子情報を用いて暗号化を行う。すなわち、閲覧制限を付加する被写体の電子情報を検出した場合には、閲覧制限決定テーブルに示される暗号化方式に従って暗号化を行う。【００５２】  また、本実施例では、ディジタル画像の撮影前に閲覧制限情報を取得する問い合わせを行っているが、撮影と同時、あるいは直後に閲覧制限情報を取得する問い合わせを行っても良い。なお、閲覧制限付加部において、閲覧制限情報が入力されず、撮影されたディジタル画像のみが入力された場合には、ディジタル画像に対して閲覧制限を付加する処理を行うものとする。
【実施例５】
【００５３】  以下、本発明の第５実施例について図１３乃至図１５を用いて説明する。本実施例では、ディジタル画像の撮影時に撮影者の位置情報を検出するとともに撮影時間情報を取得し、これらを撮影したディジタル画像に埋め込んで閲覧制限を付加する処理を行い、閲覧時に当該撮影者の位置情報と撮影時間情報を読み出し、これを権利情報サーバに送って閲覧制限を解除できるか問い合わせ、権利情報サーバから分析結果となる閲覧制限情報を取得し、これに従って閲覧制限を解除する処理を行う形態について説明する。本実施例のディジタル画像管理システムは、ディジタル画像撮影装置１００、表示装置２００、及び権利情報サーバ３００からなる。【００５４】  ディジタル画像撮影装置１００は、入力部１０１、撮影位置情報検出部１０２、撮影時間取得部１１０、撮影情報埋め込み部１１１、閲覧制限付加部１０４、記録部１０５、及び出力部１０６を備えている。また、表示装置２００は、入力部２０１、撮影情報読み出し部２０７、通信部２０３、閲覧制限処理部２０４、及び表示部２０５を備えている。また、権利情報サーバ３００は、通信部３０１ｃ、検索・分析部３０２ｃ、及びデータベース部３０３ｃを備えている。【００５５】  以下、ディジタル画像管理システムの処理動作を説明する。はじめに、撮影者はディジタル画像撮影装置１００により撮影を行う（Ｓ８０１）と、入力部１０１では撮影されたディジタル画像を入力し（Ｓ８０２）、撮影位置情報検出部１０２では撮影者の位置情報を検出する（Ｓ８０３）。撮影者の位置情報は、撮影者の位置を経度と緯度で表すＧＰＳ（Ｇｌｏｂａｌ  Ｐｏｓｉｔｉｏｎｉｎｇ  Ｓｙｓｔｅｍ）情報を用い、これを検出するにはＧＰＳ受信機を用いる。撮影情報埋め込み部１１１では、ディジタル画像と検出した撮影者の位置情報が入力され、ディジタル画像に撮影者の位置情報を埋め込む（Ｓ８０４）。ディジタル画像への位置情報の埋め込みは、ユーザの改ざんを防ぎ、埋め込まれた位置情報の信頼性を保証するために電子透かしを利用する。なお、ここで埋め込まれる位置情報は図示せぬ電子署名機能により信頼性が保証される。また、撮影時間取得部１１０では当該ディジタル画像が撮影された時間を取得し（Ｓ８０５）、撮影情報埋め込み部１１１では、取得した時間情報も入力され、ディジタル画像に時間情報も埋め込む（Ｓ８０６）。撮影時間の取得は、撮影位置情報検出部１０２より複数のＧＰＳ衛生が発する測位電波を受信し、当該受信電波に基づいて受信地の地球上における時刻を求めることができる。また、ＧＰＳ電波を用いなくてもディジタル画像撮影装置１００に内蔵されたクロック発生機能（図示しない）を用いても良く、撮影時間の取得手段は特に限定するものではない。なお、取得する時刻は信頼性が高いことを前提としている。撮影者の位置情報及び撮影時間情報を埋め込んだディジタル画像は閲覧制限付加部１０４に入力され、閲覧制限付加部１０４ではディジタル画像に対して全体あるいは一部にモザイクやぼかし、あるいは切り取り等の暗号化処理を施して閲覧制限を付加する（Ｓ８０７）。暗号化方式は鍵によって元の撮影画像を復元できればよく、特に限定するものではない。なお、本実施例では電子��かしを利用する。また、暗号化方式は、固定情報により暗号化を行う形態や、検出された撮影者の位置情報により暗号化を行う形態等があり、これらはシステムの運用形態により異なる。本実施例では、固定情報により行う形態を実施するものとし、固定情報を用いて暗号化処理を施す。その後、閲覧制限を付加したディジタル画像は記録部１０５と出力部１０６に出力される（Ｓ８０８）。記録部１０５は内蔵されたものや取り外し可能なものがある。また、出力部１０６は表示装置２００にディジタル画像を出力するものであり、ディジタル画像を出力する際は、出力部１０６と表示装置２００は有線あるいは無線により接続される。【００５６】  ディジタル画像撮影装置１００で撮影された画像を表示する際、閲覧制限を付加したディジタル画像は出力部１０６から表示装置２００の入力部２０１に入力される（Ｓ８０９）。なお、閲覧制限を付加したディジタル画像を取り外し可能な記録部１０５に記録した場合には、直接、入力部２０１に入力される。つづいて、入力部２０１に入力されたディジタル画像は撮影情報読み出し部２０７に入力され、撮影情報読み出し部２０７では、ディジタル画像撮影装置１００で埋め込まれた撮影者の位置情報と撮影時間情報を読み出す（Ｓ８１０、Ｓ８１１）。本実施例において上記撮影情報の読み出しは電子透かし読出しソフトウェアなどを用いて行う。閲覧制限付加したディジタル画像は読み出された上記撮影情報とともに閲覧制限処理部２０４に入力され、閲覧制限処理部２０４では画像を一旦保持し（Ｓ８１２）、一方、撮影情報を通信部２０３に入力する。通信部２０３は権利情報サーバ３００と通信を行い、撮影情報を送って閲覧制限を解除できるか問い合わせる（Ｓ８１３）。【００５７】  権利情報サーバ３００の通信部３０１ｃでは撮影者の位置情報と撮影時間情報を取得し、これを検索・分析部３０２ｃに入力する。検索・分析部３０２ｃでは、入力される当該撮影情報を基に、データベース部３０３ｃで管理している閲覧制限決定テーブルを引いて閲覧制限を解除できるか否かについて検索し、その分析結果となる閲覧制限情報を取得し、これを通信部３０１ｃに入力する。なお、データベース部３０３ｃで管理されている閲覧制限決定テーブルは信頼性が高いことを前提としている。図１５に示すように、閲覧制限決定テーブルは、位置及び時間情報と、閲覧制限を解除できるか否かの権利情報とを関連付けて管理しており、閲覧が可能な位置及び時間情報には閲覧制限を解除できる復号鍵も関連付けて管理している。例えば、本システムが固定情報により暗号化を行う形態である場合、ディジタル画像撮影装置１００では固定情報を用いて暗号化処理が施されている。検索・分析部３０２ｃに入力された撮影者の位置及び時間情報が「ａ°，ａ’，ａ．ｘ”：Ａ°，Ａ’，Ａ．ｘ”」、「１２：３０」である場合、閲覧制限決定テーブルでは、当該位置及び時間情報を含む「ａ°，ａ’，ａ”：Ａ°，Ａ’，Ａ”（○○ドーム）」、「１０：００〜１６：００」があるので、当該撮影情報に対応する権利情報は閲覧可能であると分析し、閲覧制限を解除できることを示す閲覧制限情報を取得するとともに、関連付けて管理している固定情報により生成された��号鍵を取得し、これらを通信部３０１ｃに入力する。一方、検索・分析部３０２ｃに入力された撮影者の位置及び時間情報が「ａ°，ａ’，ａ．ｘ”：Ａ°，Ａ’，Ａ．ｘ”」、「１７：３０」である場合、閲覧制限決定テーブルでは、該当する位置情報は含まれているものの、時間情報は含まれていないので、当該撮影情報に対応する権利情報は閲覧可能ではないと分析し、閲覧制限を解除できないことを示す閲覧制限情報を取得し、これを通信部３０１ｃに入力する。なお、この場合、復号鍵は取得できない。【００５８】  その後、通信部３０１ｃは通信部２０３へ上記閲覧制限情報を送り（Ｓ８１４）、通信部２０３は、これを閲覧制限処理部２０４へ入力する。閲覧制限処理部２０４では、一旦保持している閲覧制限付加したディジタル画像に対して、入力される閲覧制限情報に従って、閲覧制限を解除する処理を行い、その処理後、表示部２０５に画像を表示する。つまり、閲覧制限を解除できることを示す閲覧制限情報が入力された場合は、当該情報とともに入力される復号鍵を用いて閲覧制限を解除する処理を行い（Ｓ８１５→Ｓ８１６）、その処理後、撮影したディジタル画像を表示部２０５に表示する（Ｓ８１７）。一方、閲覧制限を解除できないことを示す閲覧制限情報が入力された場合は、閲覧制限は解除されず、閲覧制限付加したままのディジタル画像を表示部２０５に表示する（Ｓ８１５→Ｓ８１７）。【００５９】  以上、本実施例によれば、ディジタル画像撮影時に撮影者の位置情報及び時間情報を検出し、これらを撮影したディジタル画像に埋め込んで閲覧制限を付加する処理を行い、閲覧時に当該撮影情報を権利情報サーバに送って閲覧制限を解除できるか問い合わせ、権利情報サーバから分析結果となる閲覧制限情報を取得し、これに従って閲覧制限を解除する処理を行っている。つまり、位置情報以外に撮影時間情報を閲覧制限の条件に加えており、イベントを特定した閲覧制限処理を行うことができ、従来のディジタル画像撮影装置が抱えていた上記問題を解決することができる。【００６０】  なお、表示装置において、閲覧制限を解除できない情報を取得した場合でも、権利情報サーバとの間で課金処理を行うことにより、閲覧制限を解除できる復号鍵を取得させるようにしても良い。【００６１】  また、本実施例では、撮影位置情報検出部で撮影者の位置情報を検出し、これをディジタル画像に埋め込み、当該撮影者位置情報を権利情報サーバに問い合わせているが、撮影位置情報検出部で被写体の位置情報を検出し、これをディジタル画像に埋め込み、当該被写体位置情報を権利情報サーバに問い合わせるようにしても良い。被写体の位置情報の検出は、ディジタル画像撮影装置に備えられているフォーカス機能（図示しない）を用いた被写体距離検出、カメラの傾きセンサ（図示しない）機能、レンズ特性である画角等を用いることで処理できる。【００６２】  また、本実施例では、暗号化処理は固定情報を用いて行っていたが、これらの処理はシステムの運用形態により異なるものであり、撮影者の位置情報や被写体の位置情報、あるいは時間情報を併せて用いて行う形態もある。撮影者の位置情報を用いる形態では、閲覧制限の付加は撮影者の位置情報を用いて暗号化を行い、一方、権利情報サーバで管理している閲覧制限決定テーブルは閲覧可能である位置情報を用いて生成された復号鍵を管理している。また、被写体の位置情報を用いる形態では、閲覧制限の付加は被写体の位置情報を用いて暗号化を行い、一方、権利情報サーバで管理している閲覧制限決定テーブルでは閲覧可能である位置情報を用いて生成された復号鍵を管理している。【００６３】  また、本実施例では、検出した撮影者の位置情報及び時間情報を権利情報サーバに送って閲覧制限を解除できるか問い合わせているが、被写体の電子情報及び時間情報を検出し、これらを権利情報サーバに送って閲覧制限を解除できるか問い合わせても良い。この形態でも、本実施例で得られる効果と同様の効果が得られ、従来のディジタル画像撮影装置が抱えていた上記問題を解決することができる。
【実施例６】
【００６４】  以下、本発明の第６実施例について図１６乃至図１８を用いて説明する。本実施例では、実施例１乃至５において権利情報サーバ３００で管理されていた閲覧制限決定テーブルをディジタル画像撮影装置１００で管理し、当該装置内で閲覧制限情報を取得し、これに従って閲覧制限を付加する処理を行う形態について説明する。本実施例のディジタル画像管理システムは、ディジタル画像撮影装置１００、表示装置２００、及び権利情報サーバ３００からなる。【００６５】  ディジタル画像撮影装置１００は、入力部１０１、撮影位置情報検出部１０２、撮影位置情報埋め込み部１０３、閲覧制限付加部１０４、記録部１０５、出力部１０６、及び閲覧制限制御部１１２を備えている。また、表示装置２００は、入力部２０１、及び表示部２０５を備えている。また、権利情報サーバ３００は、通信部３０１ｄ、及びデータベース部３０３ｄを備えている。【００６６】  以下、ディジタル画像管理システムの処理動作を説明する。はじめに、撮影者の操作に従って、撮影位置情報検出部１０２は撮影者の位置情報を検出する（Ｓ９０１）。撮影者の位置情報は、撮影者の位置を経度と緯度で表すＧＰＳ（Ｇｌｏｂａｌ  Ｐｏｓｉｔｉｏｎｉｎｇ  Ｓｙｓｔｅｍ）情報を用い、これを検出するにはＧＰＳ受信機を用いる。検出された撮影者の位置情報は閲覧制限制御部１１４に入力され、閲覧制限制御部１１４では権利情報サーバ３００から定期的に取得して管理している閲覧制限決定テーブルを引いて撮影者の位置情報について閲覧制限を付加するか否かについて分析して（Ｓ９０２）、その分析結果となる閲覧制限情報を取得する（Ｓ９０３）。なお、閲覧制限決定テーブルは信頼性が高いことを前提としている。図１８に示すように、閲覧制限決定テーブルは、位置情報と閲覧制限を付加するか否かの権利情報とを関連付けて管理しており、閲覧制限を付加する位置情報には暗号化処理を施す暗号化方式を示した情報とその暗号化レベルを示す情報も関連付けて管理している。暗号化レベルは閲覧制限処理を行う際に施される暗号化の強度を示すものであり、暗号化強度の数値が高いものほど暗号化処理を多く施す。なお、暗号化強度の数値が「０」のものは暗号化処理を行わないものとする。閲覧制限決定テーブルに示される暗号化方式及び暗号化強度に従って全体あるいは一部にモザイクやぼかし、あるいは切り取り等の暗号化処理が施される。例えば、検出した撮影者の位置情報が「ａ°，ａ’，ａ．ｘ”：Ａ°，Ａ’，Ａ．ｘ”」である場合、図１８に示す閲覧制限決定テーブルでは、当該位置情報を含む「ａ°，ａ’，ａ”：Ａ°，Ａ’，Ａ”（○○ドーム）」があるので、当該位置情報に対応する権利情報は閲覧不可であり、さらに、暗号化方式は固定情報であり、暗号化強度は「１」であることを分析し、これらを示す閲覧制限情報を取得する。【００６７】  閲覧制限制御部１１４で取得した上記閲覧制限情報は閲覧制限付加部１０４へ入力する。また、上記閲覧制限情報は撮影者が確認することができ、閲覧制限付加されないことや（Ｓ９０４→Ｓ９０６）、閲覧制限付加されることを確認できる（Ｓ９０４→Ｓ９０５）。閲覧制限付加部１０４では撮影位置情報検出部１０２で検出した撮影者の���置情報と入力される閲覧制限情報を関連付けて管理しておく。【００６８】  次に、撮影者はディジタル画像撮影装置１００により撮影を行う（Ｓ９０７）と、入力部１０１では撮影されたディジタル画像を入力し（Ｓ９０８）、撮影位置情報埋込部１０３では、撮影されたディジタル画像とステップ９０１で検出した撮影者の位置情報を入力し、ディジタル画像に撮影者の位置情報を埋め込む（Ｓ９０９）。ディジタル画像への位置情報の埋め込みは、ユーザの改ざんを防ぎ、埋め込まれた位置情報の信頼性を保証するために電子透かしを利用する。なお、ここで埋め込まれる位置情報は図示せぬ電子署名機能により信頼性が保証される。撮影者の位置情報を埋め込んだディジタル画像は閲覧制限付加部１０４に入力され、閲覧制限付加部１０４ではディジタル画像に埋め込まれた位置情報を基に、これと関連付けて管理している閲覧制限情報を取得し、これに従ってディジタル画像に対して閲覧制限を付加する処理を行う。つまり、ステップ９０３で取得した閲覧制限情報に示される暗号化方式や暗号化強度に従って閲覧制限を付加する処理を行う（Ｓ９１０）。閲覧制限情報に従って閲覧制限を付加する処理を行った後、ディジタル画像は記録部１０５と出力部１０６に出力される（Ｓ９１１）。記録部１０５は内蔵されたものや取り外し可能なものがある。また、出力部１０６は表示装置２００にディジタル画像を出力するものであり、ディジタル画像を出力する際は、出力部１０６と表示装置２００は有線あるいは無線により接続される。ディジタル画像撮影装置１００で閲覧制限処理されたディジタル画像は、記録部１０５または出力部１０６から表示装置２００の入力部２０１に入力し、これを表示部１０５に表示することで閲覧できる。【００６９】  以上、本実施例によれば、ディジタル画像撮影装置において、権利情報サーバから定期的に取得する閲覧制限決定テーブルを管理し、当該装置内で検出される情報を基に閲覧制限情報を取得し、これに従って閲覧制限を付加する処理を行うので、権利情報サーバに問い合わせなくても撮影したディジタル画像に対して閲覧制限情報に従った閲覧制限処理を行うことができ、従来のディジタル画像撮影装置が抱えていた上記問題を解決することができる。【００７０】  なお、ディジタル画像撮影装置において、閲覧制限を付加することを示す閲覧制限情報を取得した場合でも、権利情報サーバとの間で課金処理を行うことにより、閲覧制限を付加しないことを示す閲覧制限情報を取得できるようにしても良い。【００７１】  また、本実施例では、撮影者の位置情報を検出する形態を説明したが、被写体の位置情報や被写体の電子情報を検出する形態もあり、また、これらと時間情報を併せて検出する形態もある。【００７２】  また、本実施例では、閲覧制限決定テーブルに暗号化レベルを併せて管理しており、撮影を禁止する場所や物を撮影したディジタル画像に対して、それらの重要度に応じて閲覧制限を付加することができる。【００７３】  また、本実施例では、ディジタル画像の撮影前に閲覧制限情報を取得する形態について説明したが、撮影と同時、あるいは直後に閲覧制限情報を取得し、これに従った閲覧制限処理を行っても良い。なお、閲覧制限付���部において、閲覧制限情報が入力されず、撮影されたディジタル画像のみが入力された場合には、ディジタル画像に対して閲覧制限を付加する処理を行うものとする。
【実施例７】
【００７４】  以下、本発明の第７実施例について図１９及び図２０を用いて説明する。本実施例では、閲覧制限を付加したディジタル画像を権利情報サーバに送り、権利情報サーバにおいて、ディジタル画像に埋め込んだ情報を読み出し、当該埋め込み情報を基に閲覧制限情報を取得し、これに従って閲覧制限を解除する処理を行う形態について説明する。本実施例のディジタル画像管理システムは、ディジタル画像撮影装置１００、表示装置２００、及び権利情報サーバ３００からなる。【００７５】  ディジタル画像撮影装置１００は、入力部１０１、撮影位置情報検出部１０２、撮影位置情報埋め込み部１０３、閲覧制限付加部１０４、記録部１０５、及び出力部１０６を備えている。また、表示装置２００は、入力部２０１、通信部２０３、及び表示部２０５を備えている。また、権利情報サーバ３００は、通信部３０１ｅ、検索・分析部３０２ｅ、データベース部３０３ｅ、撮影位置情報読み出し部３０４ｅ、及び閲覧制限処理部３０５ｅを備えている。【００７６】  以下、ディジタル画像管理システムの処理動作を説明する。はじめに、撮影者はディジタル画像撮影装置１００により撮影を行う（Ｓ１００１）と、入力部１０１では撮影されたディジタル画像を入力し（Ｓ１００２）、撮影位置情報検出部１０２では撮影者の位置情報を検出する（Ｓ１００３）。撮影者の位置情報は、撮影者の位置を経度と緯度で表すＧＰＳ（Ｇｌｏｂａｌ  Ｐｏｓｉｔｉｏｎｉｎｇ  Ｓｙｓｔｅｍ）情報を用い、これを検出するにはＧＰＳ受信機を用いる。撮影位置情報埋め込み部１０３では、ディジタル画像と検出した撮影者の位置情報が入力され、ディジタル画像に撮影者の位置情報を埋め込む（Ｓ１００４）。ディジタル画像への位置情報の埋め込みは、ユーザの改ざんを防ぎ、埋め込まれた位置情報の信頼性を保証するために電子透かしを利用する。なお、ここで埋め込まれる位置情報は図示せぬ電子署名機能により信頼性が保証される。撮影者の位置情報を埋め込んだディジタル画像は閲覧制限付加部１０４に入力され、閲覧制限付加部１０４ではディジタル画像に対して全体あるいは一部にモザイクやぼかし、あるいは切り取り等の暗号化処理を施して閲覧制限を付加する（Ｓ１００５）。暗号化方式は鍵によって元の撮影画像を復元できればよく、特に限定するものではない。なお、本実施例では電子透かしを利用する。また、暗号化方式は、固定情報により暗号化を行う形態や、検出された撮影者の位置情報により暗号化を行う形態等があり、これらはシステムの運用形態により異なる。本実施例では、固定情報により行う形態を実施するものとし、固定情報を用いて暗号化処理を施す。その後、閲覧制限を付加したディジタル画像は記録部１０５と出力部１０６に出力される（Ｓ１００６）。記録部１０５は内蔵されたものや取り外し可能なものがある。また、出力部１０６は表示装置２００にディジタル画像を出力するものであり、ディジタル画像を出力する際は、出力部１０６と表示装置２００は有線あるいは無線により接続される。【００７７】  ディジタル画像撮影装置１００で撮影された画像を表示する際、閲覧制限を付加したディジタル画像は出力部１０６から表示装置２００の入力部２０１に入力される（Ｓ１００７）。なお、閲覧制限を付加したディジタル画像を取り外し可能な記録部１０５に記録した場合には、直接、入力部２０１に入力される。つづいて、入力部２０１に入力されたディジタル画像は通信部２０３に入力され、通信部２０３は権利情報サーバ３００と通信を行い、上記閲覧制限を付加したディジタル画像を送って、閲覧制限を解除できるか問い合わせる（Ｓ１００８）。【００７８】  権利情報サーバ３００の通信部３０１ｅでは閲覧制限付加したディジタル画像を取得し、これを撮影位置情報読出し部３０４ｅに入力する。撮影位置情報読み出し部３０４ｅでは、ディジタル画像撮影装置１００で埋め込まれた撮影者の位置情報を読み出す（Ｓ１００９）。閲覧制限付加したディジタル画像は読み出された撮影者の位置情報とともに閲覧制限処理部３０５ｅに入力され、閲覧制限処理部３０５ｅでは画像を一旦保持し、一方、撮影者の位置情報を検索・分析部３０２ｅに入力する。検索・分析部３０２ｅでは、入力される撮影者の位置情報を基に、データベース部３０３ｅで管理している閲覧制限決定テーブルを引いて閲覧制限を解除できるか否かについて検索し、その分析結果となる閲覧制限情報を取得し、これを閲覧制限処理部３０５ｅに入力する（Ｓ１０１０）。なお、データベース部３０３ｅで管理されている閲覧制限決定テーブルは信頼性が高いことを前提としている。図３に示すように、閲覧制限決定テーブルは、位置情報と閲覧制限を解除できるか否かの権利情報とを関連付けて管理しており、閲覧が可能な位置情報には閲覧制限を解除できる復号鍵も関連付けて管理している。例えば、本システムが固定情報により暗号化を行う形態である場合、ディジタル画像撮影装置１００では固定情報を用いて暗号化処理が施されている。検索・分析部３０２ｅに入力された撮影者の位置情報が「ａ°，ａ’，ａ．ｘ”：Ａ°，Ａ’，Ａ．ｘ”」である場合、閲覧制限決定テーブルでは、当該位置情報を含む「ａ°，ａ’，ａ”：Ａ°，Ａ’，Ａ”（○○ドーム）」があるので、当該位置情報に対応する権利情報は閲覧可能であると分析し、閲覧制限を解除できることを示す閲覧制限情報を取得するとともに、関連付けて管理している固定情報により生成された復号鍵を取得し、これらを閲覧制限処理部３０５ｅに入力する。一方、検索・分析部３０２ｅに入力された撮影者の位置情報が「ａ°，ａ’，ｂ．ｘ”：Ａ°，Ａ’，Ｂ．ｘ”」である場合、閲覧制限決定テーブルでは、当該位置情報を含む情報が無いので、当該位置情報に対応する権利情報は閲覧可能ではないと分析し、閲覧制限を解除できないことを示す閲覧制限情報を取得し、これを閲覧制限処理部３０５ｅに入力する。なお、この場合は、復号鍵は取得できない。【００７９】  その後、閲覧制限処理部３０５ｅは取得した閲覧制限情報に従ってディジタル画像の閲覧制限を解除する処理を行い、その処理を行ったディジタル画像は通信部３０１ｅを介して表示装置２００に送られる。つまり、閲覧制限処理部３０５ｅにおいて、閲覧制限を解除できることを示す閲覧制限情報が入力された場合は、当該情報とともに入力される復号鍵を用いて閲覧制限を解除する処理を行い（Ｓ１０１１→Ｓ１０１２）、撮影状態のディジタル画像が��信部３０１ｅを介して表示装置２００の通信部２０３に送られる（Ｓ１０１３）。一方、閲覧制限を解除できないことを示す閲覧制限情報が入力された場合は、閲覧制限は解除されず、閲覧制限付加したままのディジタル画像が通信部３０１ｅを介して表示装置２００の通信部２０３に送られる（Ｓ１０１１→１０１３）。その後、通信部２０３は入力されたディジタル画像を表示部２０５に入力し、表示部２０５では入力されたディジタル画像をそのまま表示する（Ｓ１０１４）。【００８０】  以上、本実施例によれば、閲覧制限を付加したディジタル画像を権利情報サーバに送り、権利情報サーバにおいて、ディジタル画像に対して埋め込んだ情報を読み出し、当該埋め込み情報を基に閲覧制限情報を取得し、これに従って閲覧制限付加したディジタル画像を解除する処理を行うので、表示装置で閲覧制限を解除する処理を行わなくても良い。【００８１】  なお、権利情報サーバにおいて、読み出した情報が閲覧制限を解除できない場合でも、撮影者との間で課金処理を行うことにより、閲覧制限を解除できるようにしても良い。【００８２】  また、本実施例では、撮影者の位置情報を用いる形態を説明したが、被写体の位置情報や被写体の電子情報、あるいは、これらと時間情報を併せて用いる形態もある。これらの形態でも、本実施例で得られる効果と同様の効果が得られ、従来のディジタル画像撮影装置が抱えていた上記問題を解決することができる。
【図１】
0004146488.tif 000002
【図２】
0004146488.tif 000003
【図３】
0004146488.tif 000004
【図４】
0004146488.tif 000005
【図５】
0004146488.tif 000006
【図６】
0004146488.tif 000007
【図７】
0004146488.tif 000008
【図８】
0004146488.tif 000009
【図９】
0004146488.tif 000010
【図１０】
0004146488.tif 000011
【図１１】
0004146488.tif 000012
【図１２】
0004146488.tif 000013
【図１３】
0004146488.tif 000014
【図１４】
0004146488.tif 000015
【図１５】
0004146488.tif 000016
【図１６】
0004146488.tif 000017
【図１７】
0004146488.tif 000018
【図１８】
0004146488.tif 000019
【図１９】
0004146488.tif 000020
【図２０】
0004146488.tif 000021